(57)【要約】【課題】資源の少ない情報処理装置を有効活用しつつ、放送波を利用することができるようにする。【解決手段】本発明に係るネットワークシステム１においては、本発明に係る情報処理装置に適用可能な携帯電話機４は、放送局３からの放送波を受信し、受信された放送波を録画し、携帯電話機４にネットワークを介して接続された情報管理装置に適用可能なホームサーバ１０−ａに放送波を代行録画させるとの指示を受け付け、ホームサーバ１０−ａに放送波を代行録画させるとの指示が受け付けられた場合、予め設定された、放送波を録画する際の録画条件に関するデータである録画条件設定データを、ホームサーバ１０−ａに送信する。ホームサーバ１０−ａは、携帯電話機４から送信されてきた録画条件設定データを受信し、放送局３からの放送波を受信し、受信された録画条件設定データに従い、受信された放送波を録画する。【選択図】  図１
2008124727.tif 000002
【特許請求の範囲】
【請求項１】
放送局からの放送波を受信する受信手段と、
前記受信手段により受信された前記放送波を録画する録画手段と、
情報処理装置にネットワークを介して接続された情報管理装置に前記放送波を代行録画させるとの指示を受け付ける第１の指示受付手段と、
前記第１の指示受付手段により前記情報管理装置に前記放送波を代行録画させるとの指示が受け付けられた場合、予め設定された、前記放送波を録画する際の録画条件に関するデータである録画条件設定データを、前記情報管理装置に送信する送信手段とを備えることを特徴とする情報処理装置。
【請求項２】
前記情報管理装置に短縮録画を作成させるとの指示を受け付ける第２の指示受付手段と、
前記第２の指示受付手段により前記情報管理装置に短縮録画を作成させるとの指示が受け付けられた場合、短縮録画の作成を要求するための短縮録画作成要求を生成する第１の生成手段とをさらに備え、
前記送信手段は、前記第１の生成手段により生成された前記短縮録画作成要求を前記情報管理装置に送信することを特徴とする請求項１に記載の情報処理装置。
【請求項３】
前記情報管理装置において作成された短縮録画を転送させるとの指示を受け付ける第３の指示受付手段と、
前記第３の指示受付手段により前記情報管理装置において作成された短縮録画を転送させるとの指示が受け付けられた場合、前記情報管理装置において作成された短縮録画の転送を要求するための短縮録画転送要求を生成する第２の生成手段とをさらに備え、
前記送信手段は、前記第２の生成手段により生成された前記短縮録画転送要求を前記情報管理装置に送信することを特徴とする請求項２に記載の情報処理装置。
【請求項４】
情報処理装置から送信されてきた録画条件設定データを受信する第１の受信手段と、
放送局からの放送波を受信する第２の受信手段と、
前記第１の受信手段により受信された前記録画条件設定データに従い、前記第２の受信手段により受信された前記放送波を録画する録画手段とを備えることを特徴とする情報管理装置。
【請求項５】
前記放送波を代行録画する際に短縮録画を作成する作成手段をさらに備えることを特徴とする請求項４に記載の情報管理装置。
【発明の詳細な説明】
【技術分野】
【０００１】
本発明は情報処理装置および情報管理装置に係り、特に、地上波ディジタルワンセグ放送波や地上波ディジタル放送波を受信することができるようにした情報処理装置および情報管理装置に関する。
【背景技術】
【０００２】
最近、地上波ディジタル放送が開始され、それに伴い、地上波ディジタルワンセグ放送も開始され、この地上波ディジタルワンセグ放送は例えば携帯電話機に代表される携帯端末で主に利用されている。例えば携帯電話機において地上波ディジタルワンセグ放送を利用する場合、以下のような処理が実行される。
【０００３】
すなわち、第１に、地上波ディジタルワンセグ放送波の録画処理を開始するとき、携帯電話機は、ユーザにより操作キーが操作されることにより入力された録画日、録画する放送チャンネル、録画開始時刻、録画終了時刻などの録画条件に関する入力データに基づいて、録画条件を設定する。第２に、携帯電話機は、設定された録画開始時刻になると、地上波ディジタルワンセグ受信部を起動し、地上波ディジタルワンセグ受信部を介して、地上波ディジタルワンセグ放送波を受信し、受信された地上波ディジタルワンセグ放送波を録画する。
【０００４】
しかし、例えば携帯電話機などの携帯端末は、固定した場所で地上波ディジタル放送波を受信する例えば家庭用ビデオ機器などと異なり、ユーザにより持ち運び可能であるというと特性を有することから、携帯電話機などで地上波ディジタルワンセグ放送波を録画する際に、録画処理中に地上波ディジタルワンセグ放送波を受信することができない場合がある。
【０００５】
そこで、録画処理中に地上波ディジタルワンセグ放送波を受信することができなかった場合に放送チャンネルをサーチする技術が提案されている（例えば、特許文献１および２参照）。
【０００６】
特許文献１に提案されている技術によれば、入力部から録画または視聴の予約が入力されると、周波数チャンネル選局部が受信可能な放送波を指定された周波数チャンネルを用いて選局し、指定された周波数チャンネルで受信可能な放送波を選局できない場合、選局制御部が周波数チャンネル選局部、放送解析部、およびサービスチャンネル選局部を制御し、チャンネルサーチを行い、受信可能な放送波を受信して取得するようにしたので、放送地域を越えて移動する場合でも、位置情報を用いることなく、現在地における放送波を高い確率で受信して取得することができる。
【０００７】
また、特許文献２に提案されている技術によれば、再生予約されたＴＶ放送番組の受信を開始する前に、情報処理装置の位置情報を取得するように位置情報取得部を制御し、この位置情報に適合する番組情報を用いてＴＶ放送番組を受信するように放送受信部を制御するようにしたので、予約時点と、受信時点での所在地域が異なっている場合でも、ユーザが指定した通りの番組を受信することができる。
【特許文献１】特開２００６−１０８７３７号公報
【特許文献２】特開２００６−２００１０号公報
【発明の開示】
【発明が解決しようとする課題】
【０００８】
ところで、例えば携帯電話機において地上波ディジタルワンセグ放送波を受信して視聴または録画する場合、携帯電話機に内蔵された電池の容量には限度があることから、携帯電話機内のみで地上波ディジタルワンセグ放送波をきちんと受信して視聴または録画しようとすると、携帯電話機に内蔵された電池を激しく消耗してしまい、かえって使い勝手が悪くなってしまうという課題があった。
【０００９】
具体的には、例えば連続通話２時間または連続待ち受け２００時間が可能な携帯電話機においては、ユーザが１日０．５時間通話すると、携帯電話機に内蔵された電池は０．５時間／２時間＝０．２５であることから通話により２５％消耗し、さらに、２３．５時間／２００時間＝０．１２であることから待ち受けにより１２％消耗し、携帯電話機に内蔵された電池は合計で３７％消耗する。従って、ユーザが１日０．５時間通話した場合、１／０．３７＝２．７０であることから、ユーザは、携帯電話機を一度の電池の充電により２．７日使用することができる。
【００１０】
しかし、例えば連続通話２時間、連続待ち受け２００時間、または地上波ディジタルワンセグ放送波を連続５時間録画可能な携帯電話機において、ユーザが地上波ディジタルワンセグ放送波を携帯電話機に２時間連続録画させてしまうと、携帯電話機に内蔵された電池はそれだけで２時間／５時間＝０．４であることから４０％消耗してしまう。そうすると、ユーザが地上波ディジタルワンセグ放送波を携帯電話機に２時間連続録画させてしまうと、ユーザが１日０．５時間通話した場合、（１−０．４）／０．３７＝１．６２であることから、ユーザは、携帯電話機を一度の電池の充電により１．６２日しか使用することができなくなってしまう。
【００１１】
付言すれば、ユーザは、地上波ディジタルワンセグ放送波の録画処理以外にも、例えば音楽を聴いたり、ゲームをしたりするため、結局、携帯電話機に内蔵された電池を毎日充電しなければならない。
【００１２】
そこで、携帯電話機に内蔵された電池の容量を増加させることも考えられるが、携帯電話機のコストアップと大型化の原因となってしまい、ユーザにとってかえって使い勝手が悪くなってしまう。
【００１３】
また、携帯電話機には電池以外にも液晶画面の大きさなど様々な資源的な制限があり、例えば携帯電話機において地上波ディジタルワンセグ放送波を受信して視聴または録画する場合、携帯電話機内のみで地上波ディジタルワンセグ放送波をきちんと受信して視聴または録画しようとすると、かえって使い勝手が悪くなってしまうという課題があった。
【００１４】
このような課題は、特許文献１および２に提案されている技術によっても解決することはできない。
【００１５】
本発明は、このような状況に鑑みてなされたものであり、資源の少ない情報処理装置を有効活用しつつ、放送波を利用することができる情報処理装置および情報管理装置を提供することを目的とする。
【課題を解決するための手段】
【００１６】
本発明の情報処理装置は、上述した課題を解決するために、放送局からの放送波を受信する受信手段と、受信手段により受信された放送波を録画する録画手段と、情報処理装置にネットワークを介して接続された情報管理装置に放送波を代行録画させるとの指示を受け付ける第１の指示受付手段と、第１の指示受付手段により情報管理装置に放送波を代行録画させるとの指示が受け付けられた場合、予め設定された、放送波を録画する際の録画条件に関するデータである録画条件設定データを、情報管理装置に送信する送信手段とを備えることを特徴とする。
【００１７】
本発明の情報管理装置は、上述した課題を解決するために、情報処理装置から送信されてきた録画条件設定データを受信する第１の受信手段と、放送局からの放送波を受信する第２の受信手段、第１の受信手段により受信された録画条件設定データに従い、第２の受信手段により受信された放送波を録画する録画手段とを備えることを特徴とする。
【００１８】
本発明の情報処理装置においては、放送局からの放送波が受信され、受信された放送波が録画され、情報処理装置にネットワークを介して接続された情報管理装置に放送波を代行録画させるとの指示が受け付けられ、情報管理装置に放送波を代行録画させるとの指示が受け付けられた場合、予め設定された、放送波を録画する際の録画条件に関するデータである録画条件設定データが情報管理装置に送信される。
【００１９】
本発明の情報管理装置においては、情報処理装置から送信されてきた録画条件設定データが受信され、放送局からの放送波が受信され、受信された録画条件設定データに従い、受信された放送波が録画される。
【発明の効果】
【００２０】
本発明によれば、資源の少ない情報処理装置を有効活用しつつ、放送波を利用することができる。
【発明を実施するための最良の形態】
【００２１】
以下、本発明の実施の形態について、図面を参照しながら説明する。
【００２２】
図１は、本発明に係るネットワークシステム１の全体の構成を表している。
【００２３】
図１に示されるように、ネットワークシステム１には、放送局３が所定の場所に設置されており、この放送局３は、所定の範囲内において地上波ディジタルワンセグ放送波と地上波ディジタル放送波を送信する。本発明に係る情報処理装置に適用可能な携帯電話機４は、内蔵される地上波ディジタルワンセグ受信部（例えば図４の地上波ディジタルワンセグ受信部５０）を介して、この放送局３からの地上波ディジタルワンセグ放送波を受信する。
【００２４】
また、ネットワークシステム１には、通信サービスの提供エリアを所望の大きさに分割したセル内にそれぞれ固定無線局である基地局５が設置されている。この基地局５には、移動無線局である携帯電話機４が例えばＷ−ＣＤＭＡ（Wideband-Code Division Multiple Access）と呼ばれる符号分割多元接続方式によって無線接続されており、例えば２［ＧＨｚ］の周波数帯の５［ＭＨｚ］帯域を利用して静止時に２［Ｍｂｐｓ］、移動時に３８４［Ｋｂｐｓ］のデータ転送速度で大容量データを高速にデータ通信することができる。
【００２５】
このように携帯電話機４は、Ｗ−ＣＤＭＡ方式によって大容量データを高速にデータ通信できることにより、音声通話だけでなく電子メールの送受信、簡易ホームページの閲覧、画像の送受信等の多種に及ぶデータ通信を実行できる。
【００２６】
また、基地局５は、有線回線を介して公衆回線網６に接続されており、公衆回線網６には、インターネットサービスプロバイダのアクセスサーバ７が接続されている。アクセスサーバ７には、ネットワーク８（例えば、インターネット、ＬＡＮ（Local Area Network）、ＷＡＮ（Wide Area Network）、その他の各種のネットワークを含む）を介して放送用コンテンツサーバ２や、ユーザの家庭内に設置された本発明に係る情報管理装置に適用可能なホームサーバ１０−ａなどが接続されている。このホームサーバ１０−ａには、ＴＶ受信機１０−ｃを備えた家庭用ビデオ機器１０−ｂが接続されている。ホームサーバ１０−ａは、家庭用ビデオ機器１０−ｂを制御し、ＴＶ受信機１０−ｃを介して放送局３からの地上波ディジタル放送波を受信して視聴処理または録画処理を実行することができる。
【００２７】
さらに、ネットワーク８には無線ＬＡＮ９−ｂが接続されており、携帯電話機４は、無線ＬＡＮ９−ｂのアクセスポイント９−ａを介して近距離大容量通信を行うことができる。
【００２８】
図２は、本発明に係る情報処理装置として適用可能な携帯電話機４の外観の構成を表している。なお、図２［Ａ］は、携帯電話機４を約１８０度に見開いたときの正面から見た外観の構成を表しており、図２［Ｂ］は、携帯電話機４を見開いたときの側面から見た外観の構成を表している。
【００２９】
図２［Ａ］および［Ｂ］に示されるように、携帯電話機４は、中央のヒンジ部１１を境に第１の筐体１２と第２の筐体１３とがヒンジ結合されており、ヒンジ部１１を介して矢印Ｘ方向に折り畳み可能に形成される。携帯電話機４の内部の所定の位置には、送受信用のアンテナ（後述する図４のアンテナ４４）が設けられており、内蔵されたアンテナを介して基地局５との間で電波を送受信する。
【００３０】
第１の筐体１２には、その表面に「０」乃至「９」の数字キー、発呼キー、リダイヤルキー、終話・電源キー、クリアキー、および電子メールキーなどの操作キー１４が設けられており、操作キー１４を用いて各種指示を入力することができる。
【００３１】
第１の筐体１２には、操作キー１４として上部に十字キーと確定キーが設けられており、ユーザが十字キーを上下左右方向に操作することにより当てられたカーソルを上下左右方向に移動させることができる。具体的には、第２の筐体１３に設けられた液晶ディスプレイ１７に表示されている電話帳リストや電子メールのスクロール動作、簡易ホームページのページ捲り動作および画像の送り動作などの種々の動作を実行する。
【００３２】
また、確定キーを押下することにより、種々の機能を確定することができる。例えば第１の筐体１２は、ユーザによる十字キーの操作に応じて液晶ディスプレイ１７に表示された電話帳リストの複数の電話番号の中から所望の電話番号が選択され、確定キーが第１の筐体１２の内部方向に押圧されると、選択された電話番号を確定して電話番号に対して発呼処理を行う。
【００３３】
さらに、第１の筐体１２には、十字キーと確定キーの左隣に電子メールキーが設けられており、電子メールキーが第１の筐体１２の内部方向に押圧されると、メールの送受信機能を呼び出すことができる。十字キーと確定キーの右隣には、ブラウザキーが設けられており、ブラウザキーが第１の筐体１２の内部方向に押圧されると、Ｗｅｂページのデータを閲覧することが可能となる。なお、十字キーと確定キーの左右隣に設けられた電子メールキーおよびブラウザキーは、液晶ディスプレイ１７に表示される画面により例えば「Yes」や「No」などの種々の機能をもつことが可能であるため、それぞれ、soft１キーおよびsoft２キーと呼ばれる。
【００３４】
また、第１の筐体１２には、操作キー１４の下部にマイクロフォン１５が設けられており、マイクロフォン１５によって通話時のユーザの音声を集音する。また、第１の筐体１２には、携帯電話機４の操作を行うサイドキー１６が設けられている。
【００３５】
なお、第１の筐体１２は、背面側に図示しないバッテリパックが挿着されており、終話・電源キーがオン状態になると、バッテリパックから各回路部に対して電力が供給されて動作可能な状態に起動する。
【００３６】
一方、第２の筐体１３には、その正面に液晶ディスプレイ１７（メインディスプレイ）が設けられており、電波の受信状態、電池残量、電話帳として登録されている相手先名や電話番号及び送信履歴等の他、電子メールの内容、簡易ホームページ、ＣＣＤ（Charge Coupled Device）カメラ（後述する図３のＣＣＤカメラ２１）で撮像した画像、外部のコンテンツサーバ（図示せず）より受信したコンテンツ、メモリカード（後述する図４のメモリカード４６）に記憶されているコンテンツを表示することができる。
【００３７】
また、液晶ディスプレイ１７には、携帯電話機４において受信された地上波ディジタルワンセグ放送波による番組（コンテンツ）を文字放送などとともに表示したり、携帯電話機４において受信された地上波ディジタルワンセグ放送波を録画中である旨（例えば■マークなど）または視聴中である旨を表示したり、ユーザが住む家庭内に設置されたホームサーバ１０−ａにおいて地上波ディジタルワンセグ放送波または地上波ディジタル放送波を通常録画中である旨（例えば「通常」のアイコンなど）を表示したりすることができる。さらに、ユーザが住む家庭内に設置されたホームサーバ１０−ａにおいて地上波ディジタルワンセグ放送波または地上波ディジタル放送波を短縮録画中である旨（例えば「短縮」のアイコンなど）を表示したりすることもできる。また同様の情報をサブディスプレイ２２にも（閉じている時のみでもよいし、開いている時にも表示してもよい）表示することができる。
【００３８】
さらに、液晶ディスプレイ１７の上部の所定の位置にはスピーカ１８が設けられており、これにより、ユーザは音声通話することが可能である。
【００３９】
また、スピーカ１８の上部の所定の位置には、２つのＬＥＤ（Light Emitting Diode）２０−１と２０−２が設けられており、ＬＥＤ２０−１を点滅あるいは点灯させることで、携帯電話機４において受信された地上波ディジタルワンセグ放送波を録画中である旨または視聴中である旨をユーザに報知したり、ＬＥＤ２０−２を点滅あるいは点灯させることで、ユーザが住む家庭内に設置されたホームサーバ１０−ａにおいて地上波ディジタルワンセグ放送波または地上波ディジタル放送波を録画中である旨をユーザに報知することができる。勿論、このような場合に限られず、液晶ディスプレイ１７の全画面において地上波ディジタルワンセグ放送波を表示しているときのみ、ＬＥＤ２０−１を点滅または点灯させるようにしてもよい。
【００４０】
また、ＬＥＤ５０−１や５０−２以外のものを用いてユーザに報知するようにしてもよい。
【００４１】
図３は、本発明に係る情報処理装置として適用可能な携帯電話機４の他の外観の構成を表している。図３の携帯電話機４の状態は、図２の携帯電話機４の状態から矢印Ｘ方向に回動させた状態である。なお、図３［Ａ］は、携帯電話機４を閉じたときの正面から見た外観の構成を表しており、図３［Ｂ］は、携帯電話機４を閉じたときの側面から見た外観の構成を表している。
【００４２】
第２の筐体１３の上部には、ＣＣＤカメラ２１が設けられており、これにより、所望の撮影対象を撮像することができる。ＣＣＤカメラ２１の下部には、サブディスプレイ２２が設けられており、現在のアンテナの感度のレベルを示すアンテナピクト、携帯電話機４の現在の電池残量を示す電池ピクト、現在の時刻などが表示される。
【００４３】
サブディスプレイ２２の下部には、さらに、静電タッチパッド２３が設けられる。静電タッチパッド２３は、見かけ上一枚のタッチパッドになっているが、図示せぬセンサが複数個所に設けられており、ユーザがセンサの付近をタッチすると、センサがそれを検知し、巻戻し機能、早送り機能、音量ダウン動作、音量アップ動作、再生動作、および一時停止動作などが実行される。
【００４４】
図４は、本発明に係る情報処理装置として適用可能な携帯電話機４の内部の構成を表している。
【００４５】
図４に示されるように、携帯電話機４は、第１の筐体１２及び第２の筐体１３の各部を統括的に制御する主制御部３１に対して、電源回路部３２、操作入力制御部３３、画像エンコーダ３４、カメラインタフェース部３５、ＬＣＤ（Liquid Crystal Display）制御部３６、多重分離部３８、変復調回路部３９、音声コーデック４０、記憶部４７、音楽制御部４８、無線ＬＡＮモジュール４９、地上波ディジタルワンセグ受信部５０、およびＧＰＳ受信部５１がメインバス４１を介して互いに接続されるとともに、画像エンコーダ３４、画像デコーダ３７、多重分離部３８、変復調回路部３９、音声コーデック４０、および記録再生部４５が同期バス４２を介して互いに接続されて構成される。
【００４６】
電源回路部３２は、ユーザの操作により終話・電源キーがオン状態にされると、バッテリパックから各部に対して電力を供給することにより携帯電話機４を動作可能な状態に起動する。
【００４７】
主制御部３１は、ＣＰＵ（Central Processing Unit）、ＲＯＭ（Read Only Memory）、およびＲＡＭ（Random Access Memory）などからなり、ＣＰＵは、ＲＯＭに記憶されているプログラムまたは記憶部４７からＲＡＭにロードされた各種のアプリケーションプログラムに従って各種の処理を実行するとともに、種々の制御信号を生成し、各部に供給することにより携帯電話機４を統括的に制御する。ＲＡＭは、ＣＰＵが各種の処理を実行する上において必要なデータなどを適宜記憶する。
【００４８】
なお、主制御部３１には、現在の日付と時刻を正確に計測するタイマが内蔵されている。
【００４９】
携帯電話機４は、主制御部３１の制御に基づいて、音声通話モード時にマイクロフォン１５で集音した音声信号を音声コーデック４０によってディジタル音声信号に変換、圧縮し、これを変復調回路部３９でスペクトラム拡散処理し、送受信回路部４３でディジタルアナログ変換処理及び周波数変換処理を施した後にアンテナ４４を介して送信する。
【００５０】
また、携帯電話機４は、音声通話モード時にアンテナ４４で受信した受信信号を増幅して周波数変換処理及びアナログディジタル変換処理を施し、変復調回路部３９でスペクトラム逆拡散処理し、音声コーデック４０によって伸張し、アナログ音声信号に変換した後、変換されたアナログ音声信号をスピーカ１８を介して出力する。
【００５１】
さらに、携帯電話機４は、データ通信モード時に電子メールを送信する場合、操作キー１４の操作によって入力された電子メールのテキストデータを操作入力制御部３３を介して主制御部３１に送出する。主制御部３１は、テキストデータを変復調回路部３９でスペクトラム拡散処理し、送受信回路部４３でディジタルアナログ変換処理及び周波数変換処理を施した後にアンテナ４４を介して基地局５へ送信する。
【００５２】
これに対して携帯電話機４は、データ通信モード時に電子メールを受信する場合、アンテナ４４を介して基地局５から受信した受信信号を変復調回路部３９でスペクトラム逆拡散処理して元のテキストデータを復元した後、ＬＣＤ制御部３６を介して液晶ディスプレイ１７に電子メールとして表示する。
【００５３】
その後携帯電話機４は、ユーザの操作に応じて受信した電子メールを記録再生部４５を介してメモリカード４６に記録することも可能である。
【００５４】
携帯電話機４は、画像信号を送信しない場合には、ＣＣＤカメラ２０で撮像した画像信号をカメラインタフェース部４５及びＬＣＤ制御部４６を介して液晶ディスプレイ１７に直接表示する。
【００５５】
携帯電話機４は、データ通信モード時に画像信号を送信する場合、ＣＣＤカメラ２０で撮像された画像信号をカメラインタフェース部３５を介して画像エンコーダ３４に供給する。
【００５６】
画像エンコーダ３４は、ＣＣＤカメラ２０から供給された画像信号を、例えばＭＰＥＧ（Moving Picture Experts Group）４などの所定の符号化方式によって圧縮符号化することにより符号化画像信号に変換し、変換された符号化画像信号を多重分離部３８に送出する。このとき同時に携帯電話機４は、ＣＣＤカメラ２０で撮像中にマイクロフォン１５で集音した音声を音声コーデック４０を介してディジタルの音声信号として多重分離部３８に送出する。
【００５７】
多重分離部３８は、画像エンコーダ３４から供給された符号化画像信号と音声コーデック４０から供給された音声信号とを所定の方式で多重化し、その結果得られる多重化信号を変復調回路部３９でスペクトラム拡散処理し、送受信回路部４３でディジタルアナログ変換処理及び周波数変換処理を施した後にアンテナ４４を介して送信する。
【００５８】
これに対して、携帯電話機４では、データ通信モード時に、Ｗｅｂページのデータを受信することができる。
【００５９】
すなわち、携帯電話機４において、データ通信モードに、例えばＷｅｂページを要求するデータを送信すると、その要求に応じて、Ｗｅｂページのデータが基地局５を介して送信される。このＷｅｂページのデータは、アンテナ４４を介して送受信回路部４３および変復調回路部３９で受信される。送受信回路部４３および変復調回路部３９は、受信したＷｅｂページのデータを主制御部３１に送出する。
【００６０】
主制御部３１は、Ｗｅｂページのデータを解釈し、その解釈に基づく画面（画像）を作成する。作成された画面は、主制御部３１からＬＣＤ制御部３６を介して液晶ディスプレイ１７に供給されて表示される。すなわち、主制御部３１のＲＯＭまたは記憶部４７には、少なくともＷｅｂブラウザのアプリケーションプログラムがインストールされており、主制御部３１のＣＰＵは、ＲＡＭ上でＷｅｂブラウザのアプリケーションプログラムを実行することで、Ｗｅｂブラウザとして機能し、Ｗｅｂページのデータの解釈などを行う。
【００６１】
また、携帯電話機４は、データ通信モード時に例えばＷｅｂページなどにリンクされた動画像ファイルのデータを受信する場合、アンテナ４４を介して基地局５から受信した受信信号を変復調回路部３９でスペクトラム逆拡散処理し、その結果得られる多重化信号を多重分離部３８に送出する。
【００６２】
多重分離部３８は、多重化信号を分離することにより符号化画像信号と音声信号とに分け、同期バス４２を介して符号化画像信号を画像デコーダ３７に供給すると共に音声信号を音声コーデック４０に供給する。画像デコーダ３７は、符号化画像信号をＭＰＥＧ４などの所定の符号化方式に対応した復号化方式でデコードすることにより再生動画像信号を生成し、生成された再生動画像信号をＬＣＤ制御部３６を介して液晶ディスプレイ１７に供給する。これにより、例えば、Ｗｅｂページなどにリンクされた動画像ファイルに含まれる動画像データが表示される。
【００６３】
このとき同時に音声コーデック４０は、音声信号をアナログ音声信号に変換した後、これをスピーカ１８に供給し、これにより、例えば、Ｗｅｂページなどにリンクされた動画像ファイルに含まる音声信号が再生される。この場合も電子メールの場合と同様に携帯電話機４は、受信したＷｅｂページなどにリンクされたデータをユーザの操作により記録再生部４５を介してメモリカード４６に記録することが可能である。
【００６４】
記憶部４７は、例えば、電気的に書換えや消去が可能な不揮発性メモリであるフラッシュメモリ素子やＨＤＤ（Hard Disc Drive）などからなり、主制御部３１のＣＰＵにより実行される種々のアプリケーションプログラムや種々のデータ群を格納している。また、記憶部４７は、必要に応じて、ユーザの操作に応じて受信した電子メールや、受信したＷｅｂページなどにリンクされた動画像ファイルに含まれる動画像データなどを記憶する。
【００６５】
音楽制御部４８は、記憶部４７に記憶されているオーディオデータの再生動作および一時停止動作や、巻戻し機能、早送り機能、音量ダウン動作、音量アップ動作などの実行を制御する。
【００６６】
無線ＬＡＮモジュール４９は、内蔵されたアンテナ（図示せず）を介して、ＩＥＥＥ８０２．１１ａ／ｂ／ｇなどの所定の規格に準拠した無線ＬＡＮ通信を行う。
【００６７】
地上波ディジタルワンセグ放送波５０は、放送局３からの地上波ディジタルワンセグ放送波を受信し、受信された地上波ディジタルワンセグ放送波を多重分離部３８または記憶部４７に供給する。
【００６８】
図５は、本発明に係る情報管理装置に適用可能なホームサーバ１０−ａの内部の構成を表している。
【００６９】
図５に示されるように、ホームサーバ１０−ａは、ＣＰＵ５１、ＲＯＭ５２、ＲＡＭ５３、バス５４、入出力インタフェース５５、キーボードやマウスなどによりなる入力部５６、ＣＲＴ(Cathode Ray Tube)、ＬＣＤ(Liquid Crystal Display)などよりなるディスプレイ、並びにスピーカなどよりなる出力部５７、ハードディスクや不揮発性メモリなどより構成される記憶部５８、モデム、ターミナルアダプタ、およびネットワークインタフェース（いずれも図示せず）などより構成される通信部５９により構成される。また、入出力インタフェース５５には、必要に応じてドライブ６０が接続され、磁気ディスク６１、光ディスク６２、光磁気ディスク６３、あるいは半導体メモリ６４などが適宜装着され、それから読み出しコンピュータプログラムが、必要に応じて記憶部５８にインストールされる。
【００７０】
次に、図６のフローチャートを参照して、図４の携帯電話機４における録画処理について説明する。この録画処理は、ユーザにより操作キー１４が操作されることにより録画処理を開始するとの指示がなされることで、開始される。
【００７１】
ステップＳ１において、主制御部３１は、ユーザにより操作キー１４が操作されることにより録画処理を開始するとの指示がなされたか否かを判定し、ユーザにより操作キー１４が操作されることにより録画処理を開始するとの指示がなされたと判定するまで待機する。
【００７２】
ステップＳ１においてユーザにより操作キー１４が操作されることにより録画処理を開始するとの指示がなされたと判定された場合、主制御部３１はステップＳ２で、ユーザにより操作キー１４が操作されることにより入力された録画条件（録画日、録画する放送チャンネル、録画開始時刻、録画終了時刻などの録画条件）に関する入力データを取得する。
【００７３】
ステップＳ３において、主制御部３１は、取得された録画条件に関する入力データに基づいて録画処理を実行する際の録画条件を設定し、設定された録画条件に関するデータである録画条件設定データを記憶部４７に供給する。
【００７４】
例えば、録画日、録画する放送チャンネル、録画開始時刻、および録画終了時刻として、それぞれ、２００６年１０月２１日、放送チャンネル８、２００６年１０月２１日２１：００、および２００６年１０月２１日２２：００が設定される。
【００７５】
ステップＳ４において、記憶部４７は、主制御部３１から供給された録画条件設定データを取得し、主制御部３１の制御に従い、取得された録画条件設定データを記憶する。
【００７６】
ステップＳ５において、主制御部３１は、ＬＣＤ制御部３６を制御し、放送局３からの地上波ディジタルワンセグ放送波を携帯電話機４において録画するに際し、ホームサーバ１０−ａに代行録画させるとの指示を受け付けるための代行録画指示受付画面を液晶ディスプレイ１７に表示させる。液晶ディスプレイ１７は、ＬＣＤ制御部３６の制御に従い、ホームサーバ１０−ａに代行録画させるとの指示を受け付けるための代行録画指示受付画面を表示する。
【００７７】
例えば図７［Ａ］に示される代行録画指示受付画面７１は、メッセージ表示欄７２、コマンド表示欄７３、およびコマンド表示欄７４を有する。
【００７８】
図７［Ａ］の例の場合、メッセージ表示欄７２には、メッセージとして「ホームサーバに代行録画させますか？」が表示される。これにより、ユーザは、これ以降の処理により、放送局３からの地上波ディジタルワンセグ放送波を携帯電話機４において録画するに際し、ホームサーバ１０−ａに代行録画させるとの旨を指示することができることが分かる。
【００７９】
コマンド表示欄７３は、「Ｙｅｓ」というコマンドのアイコンを有している。ユーザは、操作キー１４を操作することにより、コマンド表示欄７３の「Ｙｅｓ」のコマンドアイコンを選択し、ホームサーバ１０−ａに代行録画させるとの旨を指示することができる。
【００８０】
コマンド表示欄７４は、「Ｎｏ」というコマンドのアイコンを有している。ユーザは、操作キー１４を操作することにより、コマンド表示欄７４の「Ｎｏ」のコマンドアイコンを選択し、ホームサーバ１０−ａに代行録画させないとの旨を指示することができ、ホームサーバ１０−ａによる代行録画ではない携帯電話機４における通常録画に設定することができる。
【００８１】
ステップＳ６において、主制御部３１は、ユーザにより操作キー１４が操作されることにより、代行録画指示受付画面上において「Ｙｅｓ」が選択されることで、ホームサーバ１０−ａに代行録画させるとの指示が受け付けられたか否かを判定する。
【００８２】
ステップＳ６においてユーザにより操作キー１４が操作されることにより、代行録画指示受付画面上において「Ｙｅｓ」が選択されず、ホームサーバ１０−ａに代行録画させるとの指示が受け付けられていないと判定された場合（すなわち、ユーザにより操作キー１４が操作されることにより、代行録画指示受付画面上において「Ｎｏ」が選択されることで、ホームサーバ１０−ａに代行録画させないとの指示が受け付けられた場合）、主制御部３１はステップＳ７で、ホームサーバ１０−ａによる代行録画ではない携帯電話機４における通常録画に設定し、設定された通常録画に関する設定データである通常録画設定データを記憶部４７に供給する。
【００８３】
ステップＳ８において、記憶部４７は、主制御部３１から供給された通常録画設定データを取得し、主制御部３１の制御に従い、取得された通常録画設定データを記憶する。これにより、ホームサーバ１０−ａによる代行録画ではない携帯電話機４における通常録画に設定されたことが記憶される。
【００８４】
ステップＳ９において、主制御部３１は、内蔵されたタイマを用いて、記憶部４７に記憶されている録画条件設定データに含まれる録画開始時刻になったか否かを判定し、記憶部４７に記憶されている録画条件設定データに含まれる録画開始時刻になったと判定するまで待機する。
【００８５】
ステップＳ９において記憶部４７に記憶されている録画条件設定データに含まれる録画開始時刻になったと判定された場合、主制御部３１はステップＳ１０で、放送局３からの地上波ディジタルワンセグ放送波の受信を開始するため、地上波ディジタルワンセグ受信部５０を起動する。
【００８６】
ステップＳ１１において、主制御部３１は、予め設定された所定の時間ごとに、放送局３からの地上波ディジタルワンセグ放送波を受信できたか否かを判定する。
【００８７】
ステップＳ１１において放送局３からの地上波ディジタルワンセグ放送波を受信できたかと判定された場合、主制御部３１は、受信された地上ディジタルワンセグ放送波を取得し、取得された地上波ディジタルワンセグ放送波を記憶部４７に録画（記録）させる。記憶部４７は、主制御部３１の制御に従い、取得された地上波ディジタルワンセグ放送波を記憶部４７に録画（記録）する。勿論、地上波ディジタルワンセグ放送波を録画（記録）させる場合、種々の圧縮方法を用いて録画（記録）するようにしてもよい。
【００８８】
一方、ステップＳ１１において放送局３からの地上波ディジタルワンセグ放送波を受信できなかったかと判定された場合、主制御部３１は、ＬＣＤ制御部３６を制御し、受信に失敗したことを示す受信失敗ダイアログを液晶ディスプレイ１７に表示させる。液晶ディスプレイ１７は、ＬＣＤ制御部３６の制御に従い、受信に失敗したことを示す受信失敗ダイアログを表示する。例えば液晶ディスプレイ１７には、受信に失敗したことを示す受信失敗ダイアログとして「受信に失敗しました。」などのメッセージダイアログが表示される。
【００８９】
ステップＳ１４において、主制御部３１は、記憶部４７に記憶されている録画条件設定データに含まれる録画終了時刻になったか否かを判定する。ステップＳ１４において記憶部４７に記憶されている録画条件設定データに含まれる録画終了時刻になっていないと判定された場合、処理はステップＳ１１に戻り、その後、ステップＳ１１以降の処理が繰り返される。これにより、録画開始時刻から録画終了時刻までの所望の放送チャンネルの地上波ディジタルワンセグ放送波を録画することができる。
【００９０】
ステップＳ１４において記憶部４７に記憶されている録画条件設定データに含まれる録画終了時刻になったと判定された場合、主制御部３１はステップＳ１５で、地上波ディジタルワンセグ受信部５０を制御し、録画処理を終了する。
【００９１】
一方、ステップＳ６においてユーザにより操作キー１４が操作されることにより、代行録画指示受付画面上において「Ｙｅｓ」が選択されることで、ホームサーバ１０−ａに代行録画させるとの指示が受け付けられたと判定された場合、主制御部３１はステップＳ１６で、ホームサーバ１０−ａによる代行録画に設定し、設定された代行録画に関する設定データである代行録画設定データを記憶部４７に供給する。
【００９２】
ステップＳ１７において、記憶部４７は、主制御部３１から供給された代行録画設定データを取得し、主制御部３１の制御に従い、取得された代行録画設定データを記憶する。これにより、放送局３からの地上波ディジタルワンセグ放送波を録画するに際し、ホームサーバ１０−ａによる代行録画に設定されたことが記憶される。
【００９３】
ステップＳ１８において、主制御部３１は、ＬＣＤ制御部３６を制御し、ホームサーバ１０−ａに代行録画させる際に、放送される放送番組を短縮して録画する短縮録画を作成させるとの指示を受け付けるための短縮録画作成指示受付画面を液晶ディスプレイ１７に表示させる。液晶ディスプレイ１７は、ＬＣＤ制御部３６の制御に従い、ホームサーバ１０−ａに代行録画させる際に、放送される放送番組を短縮して録画する短縮録画を作成させるとの指示を受け付けるための短縮録画作成指示受付画面を表示する。
【００９４】
例えば図７［Ｂ］に示される短縮録画作成指示受付画面７５は、メッセージ表示欄７６、コマンド表示欄７７、およびコマンド表示欄７８を有する。
【００９５】
図７［Ｂ］の例の場合、メッセージ表示欄７６には、メッセージとして「短縮録画を作成させますか？」が表示される。これにより、ユーザは、これ以降の処理により、ホームサーバ１０−ａに代行録画させる際に、放送される放送番組を短縮して録画する短縮録画を作成させるとの旨を指示することができることが分かる。
【００９６】
コマンド表示欄７７は、「Ｙｅｓ」というコマンドのアイコンを有している。ユーザは、操作キー１４を操作することにより、コマンド表示欄７７の「Ｙｅｓ」のコマンドアイコンを選択し、ホームサーバ１０−ａに代行録画させる際に放送される放送番組を短縮して録画する短縮録画を作成させるとの旨を指示することができる。
【００９７】
コマンド表示欄７８は、「Ｎｏ」というコマンドのアイコンを有している。ユーザは、操作キー１４を操作することにより、コマンド表示欄７８の「Ｎｏ」のコマンドアイコンを選択し、ホームサーバ１０−ａに代行録画させる際に、放送される放送番組を短縮して録画する短縮録画を作成させないと旨を指示することができる。
【００９８】
ステップＳ１９において、主制御部３１は、ユーザにより操作キー１４が操作されることにより、短縮画面作成指示受付画面上において「Ｙｅｓ」が選択されることで、ホームサーバ１０−ａに代行録画させる際に放送される放送番組を短縮して録画する短縮録画を作成させるとの指示が受け付けられたか否かを判定する。
【００９９】
ステップＳ１９においてユーザにより操作キー１４が操作されることにより、短縮画面作成指示受付画面上において「Ｙｅｓ」が選択されることで、ホームサーバ１０−ａに代行録画させる際に放送される放送番組を短縮して録画する短縮録画を作成させるとの指示が受け付けられたと判定された場合、主制御部３１はステップＳ２０で、ホームサーバ１０−ａに代行録画させる際に放送される放送番組を短縮して録画する短縮録画の作成を要求する短縮録画作成要求を生成する。
【０１００】
ステップＳ２１において、主制御部３１は、記憶部４７に記憶されている録画条件設定データ（例えば録画日、録画する放送チャンネル、録画開始時刻、録画終了時刻などの録画条件に関する設定データ）を読み出し、読み出された録画条件設定データとともに、生成された短縮録画作成要求をネットワーク８を介してホームサーバ１０−ａに送信する。
【０１０１】
具体的には、主制御部３１は、無線ＬＡＮモジュール４９を制御し、アクセスポイント９−ａ、無線ＬＡＮ９−ｂ、およびネットワーク８を介して無線ＬＡＮ通信により録画条件設定データおよび短縮録画作成要求をホームサーバ１０−ａに送信させる。無線ＬＡＮモジュール４９は、主制御部３１の制御に従い、アクセスポイント９−ａ、無線ＬＡＮ９−ｂ、およびネットワーク８を介して無線ＬＡＮ通信により録画条件設定データおよび短縮録画作成要求をホームサーバ１０−ａに送信する。
【０１０２】
その後、携帯電話機４における録画処理は終了する。
【０１０３】
勿論、録画条件設定データと短縮録画作成要求は、同時に送信するようにしてもよいし、順次送信するようにしてもよい。
【０１０４】
一方、ステップＳ１９においてユーザにより操作キー１４が操作されることにより、短縮画面作成指示受付画面上において「Ｙｅｓ」が選択されず、ホームサーバ１０−ａに代行録画させる際に放送される放送番組を短縮して録画する短縮録画を作成させるとの指示が受け付けられていないと判定された場合（すなわち、短縮画面作成指示受付画面上において「Ｎｏ」が選択されることで、ホームサーバ１０−ａに代行録画させる際に放送される放送番組を短縮して録画する短縮録画を作成させないとの指示が受け付けられたと判定された場合）、主制御部３１は、記憶部４７に記憶されている録画条件設定データ（例えば録画日、録画する放送チャンネル、録画開始時刻、録画終了時刻などの録画条件に関する設定データ）を読み出し、読み出された録画条件設定データをネットワーク８を介してホームサーバ１０−ａに送信する。
【０１０５】
具体的には、主制御部３１は、無線ＬＡＮモジュール４９を制御し、アクセスポイント９−ａ、無線ＬＡＮ９−ｂ、およびネットワーク８を介して無線ＬＡＮ通信により録画条件設定データをホームサーバ１０−ａに送信させる。無線ＬＡＮモジュール４９は、主制御部３１の制御に従い、アクセスポイント９−ａ、無線ＬＡＮ９−ｂ、およびネットワーク８を介して無線ＬＡＮ通信により録画条件設定データをホームサーバ１０−ａに送信する。
【０１０６】
このとき、ホームサーバ１０−ａに代行録画させる際に放送される放送番組を短縮して録画する短縮録画の作成を要求する短縮録画作成要求は生成されず、短縮録画作成要求はホームサーバ１０−ａに送信されない。その後、携帯電話機４における録画処理は終了する。
【０１０７】
これにより、携帯電話機４において例えば地上波ディジタルワンセグ放送波による長時間の放送番組（例えば２時間の放送番組など）を録画しようと場合に、ホームサーバ１０−ａに代行録画させるとの指示が受け付けられると、ホームサーバ１０−ａに、地上波ディジタルワンセグ放送波による長時間の放送番組（例えば２時間の放送番組など）を代行録画される一方、携帯電話機４において地上波ディジタルワンセグ放送波による長時間の放送番組（例えば２時間の放送番組など）を録画しないようにすることができる。
【０１０８】
また、携帯電話機４において例えば地上波ディジタルワンセグ放送波による短い放送番組（１０分乃至１５分程度の放送番組など）や長時間の放送番組の一部（例えばスポーツ番組や映画、長時間ドラムなどの一部）を録画する場合のみに、ホームサーバ１０−ａに代行録画させるとの指示が受け付けられず、携帯電話機４においてこれらを録画するようにすることができる。
【０１０９】
従って、長時間の地上波ディジタルワンセグ放送波を録画する必要がなく、たとえ携帯電話機４において地上波ディジタルワンセグ放送波を録画したとしても、例えば１２分の短い放送番組の場合では、携帯電話機に内蔵された電池（バッテリパック）は０．２時間／５時間＝０．０４であることから４％しか消耗しない。その結果、ユーザが１日０．５時間通話した場合、（１−０．０４）／０．３７＝２．５９であることから、ユーザは、携帯電話機を一度の電池の充電で２．５９日使用することが可能となる。
【０１１０】
以上のように、携帯電話機４において地上波ディジタルワンセグ放送波を利用する場合の、携帯電話機４に内蔵された電池（バッテリパック）の消耗を抑制することができる。
【０１１１】
勿論、ホームサーバ１０−ａに代行録画させるとの指示が受け付けられた場合であっても、携帯電話機４において地上波ディジタルワンセグ放送波を録画させるようにしてもよい。
【０１１２】
例えば図８のフローチャートに示されるように、ステップＳ５３において携帯電話機４においても通常録画するとの指示を受け付けるための通常録画指示受付画面を表示し、通常録画指示受付画面上において通常録画するとの指示が受け付けられると、処理はステップＳ３７に進み、ホームサーバ１０−ａにおいて代行録画させるだけでなく、ステップＳ３７以降の処理により携帯電話機４においても通常録画を行う。
【０１１３】
これにより、携帯電話機４において例えば地上波ディジタルワンセグ放送波による長時間の放送番組（例えば２時間の放送番組など）を録画しようと場合に、ユーザの好みに応じて、ホームサーバ１０−ａに代行録画させることができるとともに、携帯電話機４においても長時間の放送番組のうちの一部（例えばスポーツ番組や映画、長時間ドラムなどの一部）を録画することができる。また、携帯電話機４において例えば地上波ディジタルワンセグ放送波による短い放送番組（１０分乃至１５分程度の放送番組など）を録画する場合に、ユーザの好みに応じて、携帯電話機４において録画するだけでなく、ホームサーバ１０−ａにおいても代行録画させることができる。
【０１１４】
従って、携帯電話機４において地上波ディジタルワンセグ放送波を利用する場合における利便性を向上させることができる。
【０１１５】
また、携帯電話機４において地上波ディジタルワンセグ放送波の視聴処理を実行する場合に、ホームサーバ１０−ａにその放送番組を代行録画させるようにしてもよい。
【０１１６】
図９のフローチャートを参照して、図６のステップＳ２１またはステップＳ２２における携帯電話機４の録画条件設定データ送信処理に対応する、図５のホームサーバ１０−ａにおける録画処理について説明する。このホームサーバ１０−ａにおける録画処理は、携帯電話機４から送信されてきた録画条件設定データを受信することにより開始される。
【０１１７】
ステップＳ６１において、通信部５９は、アクセスポイント９−ａ、無線ＬＡＮ９−ｂ、およびネットワーク８を介して携帯電話機４から送信されてきた録画条件設定データ、または録画条件設定データと縮録画作成要求を受信し、受信された録画条件設定データ、または録画条件設定データと短縮録画作成要求をバス５４を介してＣＰＵ５１に供給する。なお、図６のフローチャートを用いて説明したように、ホームサーバ１０−ａに代行録画させる際に放送される放送番組を短縮して録画する短縮録画を作成させるとの指示が受け付けられた場合、ホームサーバ１０−ａにおいて、録画条件設定データと短縮録画作成要求が受信される。一方、ホームサーバ１０−ａに代行録画させる際に放送される放送番組を短縮して録画する短縮録画を作成させるとの指示が受け付けられた場合、ホームサーバ１０−ａにおいて、録画条件設定データのみが受信される。
【０１１８】
ステップＳ６２において、ＣＰＵ５１は、通信部５９から供給された録画条件設定データ、または録画条件設定データと短縮録画作成要求をバス５４を介して取得する。
【０１１９】
ステップＳ６３において、ＣＰＵ５１は、取得された録画条件設定データに基づいて、家庭用ビデオ機器１０−ｂに録画処理を実行させる際の録画条件を設定する。すなわち、携帯電話機４において設定された録画条件（例えば録画日、録画する放送チャンネル、録画開始時刻、および録画終了時刻が、それぞれ、２００６年１０月２１日、放送チャンネル８、２００６年１０月２１日２１：００、および２００６年１０月２１日２２：００に設定された録画条件）と同様に、家庭用ビデオ機器１０−ｂにおいて録画条件が設定される。
【０１２０】
ＣＰＵ５１は、設定された録画条件に関する設定データである録画条件設定データを記憶部５８に供給する。
【０１２１】
ステップＳ６４において、記憶部５８は、ＣＰＵ５１から供給された録画条件設定データを取得し、ＣＰＵ５１の制御に従い、取得された録画条件設定データを記憶する。
【０１２２】
ステップＳ６５において、ＣＰＵ５１は、内蔵されたタイマを用いて、記憶部５８に記憶されている録画条件設定データに含まれる録画開始時刻になったか否かを判定し、記憶部５８に記憶されている録画条件設定データに含まれる録画開始時刻になったと判定するまで待機する。
【０１２３】
ステップＳ６５において記憶部５８に記憶されている録画条件設定データに含まれる録画開始時刻になったと判定された場合、ＣＰＵ５１はステップＳ６６で、放送局３からの地上波ディジタル放送波をＴＶ受信機１０−ｃを介して家庭用ビデオ機器１０−ｂに受信させて録画処理を開始させるために、家庭用ビデオ機器１０−ｂを起動する。
【０１２４】
ステップＳ６７において、家庭用ビデオ機器１０−ｂは、ホームサーバ１０−ａのＣＰＵ５１の制御に従い、放送局３からの地上波ディジタル放送波を録画（記録）する。
【０１２５】
ステップＳ６８において、ＣＰＵ５１は、記憶部５８に記憶されている録画条件設定データに含まれる録画終了時刻になったか否かを判定する。ステップＳ６８において記憶部５８に記憶されている録画条件設定データに含まれる録画終了時刻になっていないと判定された場合、処理はステップＳ６７に戻り、その後、ステップＳ６７における録画処理が繰り返される。これにより、録画開始時刻から録画終了時刻までの所望の放送チャンネルの地上波ディジタル放送波を録画することができる。
【０１２６】
ステップＳ６８において記憶部５８に記憶されている録画条件設定データに含まれる録画終了時刻になったと判定された場合、ＣＰＵ５１はステップＳ６９で、家庭用ビデオ機器１０−ｂを制御し、録画処理を終了する。
【０１２７】
ステップＳ６９において、ＣＰＵ５１は、携帯電話機４から送信されてきた短縮録画作成要求が受信されているか否かを判定する。ステップＳ６９において携帯電話機４から送信されてきた短縮録画作成要求が受信されていると判定された場合、ＣＰＵ５１はＳ７０で、受信されている短縮録画作成要求に基づいて、入出力インタフェース５５を介して家庭用ビデオ機器１０−ｂに録画されている地上波ディジタル放送波による放送番組を読み出し、読み出された家庭用ビデオ機器１０−ｂに録画されている地上波ディジタル放送波による放送番組に基づいて、放送される放送番組を短縮して録画する短縮録画（ユーザがいいところだけを再生して短時間で視聴することができる録画）を作成する。短縮録画を作成する際には、例えば特開２００３−１５３１３９や特開２００６−１８０３０６に提案されている技術を用いて短縮録画が作成される。
【０１２８】
なお、この短縮録画を作成する際には、地上波ディジタルワンセグ放送波に対応した画素数の変換なども行われる。
【０１２９】
ステップＳ７１において、ＣＰＵ５１は、作成された短縮録画を記憶部５８に記録させる。記憶部５８は、ＣＰＵ５１の制御に従い、作成された短縮録画を記憶する。
【０１３０】
ステップＳ６９において携帯電話機４から送信されてきた短縮録画作成要求が受信されていないと判定された場合、ステップＳ７０乃至Ｓ７１の処理はスキップされ、このとき、短縮録画は作成されない。
【０１３１】
ステップＳ７２において、ＣＰＵ５１は、録画処理を終了する。
【０１３２】
その後、ユーザは、必要に応じて、携帯電話機４からホームサーバ１０−ａに接続し、ホームサーバ１０−ａに記憶されている短縮録画を携帯電話機４に記憶させることができ、視聴したいときに携帯電話機４に記憶されている短縮録画を視聴することができる。これにより、ユーザは、例えばスポーツ番組や映画、長時間ドラマなどの放送番組を短時間で携帯電話機４において確認した後、さらにフル録画を視聴したい場合、家庭用ビデオ機器１１に録画されている放送番組を、液晶ディスプレイやスピーカなどの資源の豊かな図示せぬ出力部において視聴することができる。なお、ユーザが例えばスポーツ番組や映画、長時間ドラマなどの放送番組を短縮録画により短時間で携帯電話機４において確認する場合、短時間の視聴であるため、ユーザが携帯電話機４の比較的小さいディスプレイである液晶ディスプレイ１７での視聴を不快に感じることを低減することができる。
【０１３３】
本発明の実施形態においては、携帯電話機４は、放送局３からの地上波ディジタルワンセグ放送波を携帯電話機４において録画するに際し、ホームサーバ１０−ａに代行録画させるとの指示を受け付けるための代行録画指示受付画面を液晶ディスプレイ１７に表示し、ホームサーバ１０−ａに代行録画させるとの指示が受け付けられた場合、記憶部４７に記憶されている録画条件設定データをホームサーバ１０−ａに送信することができる。また、ホームサーバ１０−ａに短縮録画を作成させるとの指示が受け付けられた場合、短縮録画作成要求を生成し、生成された短縮録画作成要求をホームサーバ１０−ａに送信することができる。
【０１３４】
これにより、放送局３からの地上波ディジタルワンセグ放送波を携帯電話機４において録画するに際し、長い放送番組などを受信して録画する場合に、ホームサーバ１０−ａに代行録画させることができる。また、ホームサーバ１０−ａに代行録画させる際に、短縮録画を作成させることができる。従って、携帯電話機４において地上波ディジタルワンセグ放送波を利用する場合に、携帯電話機４に内蔵された電池（バッテリパック）の消耗を抑制することができ、携帯電話機４の操作性を向上させることができる。また、携帯電話機４からホームサーバ１０−ａに接続し、ホームサーバ１０−ａに記憶されている短縮録画を携帯電話機４に記憶することができ、ユーザは、視聴したいときに携帯電話機４に記憶されている短縮録画を視聴することができる。その結果、携帯電話機４において放送局３からの地上波ディジタルワンセグ放送波を利用する場合における利便性を向上させることができる。
【０１３５】
一方、ホームサーバ１０−ａは、携帯電話機４から録画条件設定データを受信し、受信された録画条件設定データに基づいて、家庭用ビデオ機器１０−ｂに録画処理を実行させる際の録画条件を設定し、設定された録画条件に基づいて家庭用ビデオ機器１０−ｂに地上波ディジタル放送波を録画させることができる。また、携帯電話機４から短縮録画作成要求を受信し、受信された短縮録画作成要求に基づいて、家庭用ビデオ機器１０−ｂに録画されている地上波ディジタル放送波による放送番組を読み出し、読み出された家庭用ビデオ機器１０−ｂに録画されている地上波ディジタル放送波による放送番組に基づいて、放送される放送番組を短縮して録画する短縮録画を作成することができる。
【０１３６】
これにより、放送局３からの地上波ディジタルワンセグ放送波を携帯電話機４において録画するに際し、長い放送番組などを受信して録画する場合に、ホームサーバ１０−ａにおいて代行録画することができる。また、ホームサーバ１０−ａに代行録画する際に、短縮録画を作成することができる。従って、ユーザは、好みで、家庭用ビデオ機器１１に録画されている地上波ディジタル放送波による放送番組を、液晶ディスプレイやスピーカなどの資源の豊かな図示せぬ出力部において視聴することができる。
【０１３７】
以上のように、資源の少ない携帯電話機４を有効活用しつつ、放送波を好適に利用することができる。従って、放送局３からの地上波ディジタルワンセグ放送波や地上波ディジタル放送波を利用する場合における利便性を向上させることができる。
【０１３８】
ところで、ホームサーバ１０−ａにおいて録画処理が終了した後、ホームサーバ１０−ａから録画終了通知を携帯電話機４に送信し、携帯電話機４からホームサーバ１０−ａに作成された短縮録画を転送するように要求するようにしてもよい。以下、この方法を用いた図４の帯電話機４における録画処理について説明する。
【０１３９】
図１０のフローチャートを参照して、図４の携帯電話機４における他の録画処理について説明する。なお、図１０のステップＳ８１乃至Ｓ１０２の処理は、図６のステップＳ１乃至Ｓ２２の処理と基本的には同様であり、その説明は繰り返しになるので省略する。
【０１４０】
ステップＳ１０３において、主制御部３１は、無線ＬＡＮモジュール４９により、ネットワーク８を介してホームサーバ１０−ａから短縮録画の作成が終了したことを通知するための短縮録画作成終了通知を受信したか否かを判定し、ネットワーク８を介してホームサーバ１０−ａから短縮録画の作成が終了したことを通知するための短縮録画作成終了通知を受信したと判定するまで待機する。
【０１４１】
具体的には、主制御部３１は、無線ＬＡＮモジュール４９を介して、アクセスポイント９−ａ、無線ＬＡＮ９−ｂ、およびネットワーク８を介して無線ＬＡＮ通信によりホームサーバ１０−ａから短縮録画の作成が終了したことを通知するための短縮録画作成終了通知を受信したか否かを判定し、無線ＬＡＮ通信によりホームサーバ１０−ａから短縮録画の作成が終了したことを通知するための短縮録画作成終了通知を受信したと判定するまで待機する。
【０１４２】
ステップＳ１０３においてネットワーク８を介してホームサーバ１０−ａから短縮録画の作成が終了したことを通知するための短縮録画作成終了通知を受信したと判定された場合、主制御部３１はステップＳ１０４で、ＬＣＤ制御部３６を制御し、ホームサーバ１０−ａにおいて短縮録画が作成され、録画処理が終了したことを示す短縮録画作成終了ダイアログを液晶ディスプレイ１７に表示させる。液晶ディスプレイ１７は、ＬＣＤ制御部３６の制御に従い、ホームサーバ１０−ａにおいて短縮録画が作成され、録画処理が終了したことを示す短縮録画作成終了ダイアログを表示する。
【０１４３】
例えば図７［Ｃ］に示される短縮録画作成終了ダイアログ７９は、メッセージ表示欄８０、コマンド表示欄８１、およびコマンド表示欄８２を有する。
【０１４４】
図７［Ｃ］の例の場合、メッセージ表示欄８０には、メッセージとして「短縮録画の作成が終了しました。短縮録画を転送しますか？」が表示される。これにより、ユーザは、これ以降の処理により、作成された短縮録画をホームサーバ１０−ａから携帯電話機４に転送させることができることが分かる。
【０１４５】
コマンド表示欄８１は、「Ｙｅｓ」というコマンドのアイコンを有している。ユーザは、操作キー１４を操作することにより、コマンド表示欄８１の「Ｙｅｓ」のコマンドアイコンを選択し、ホームサーバ１０−ａからの短縮録画の転送処理の開始を指示することができる。
【０１４６】
コマンド表示欄８２は、「Ｎｏ」というコマンドのアイコンを有している。ユーザは、操作キー１４を操作することにより、コマンド表示欄８２の「Ｎｏ」のコマンドアイコンを選択し、ホームサーバ１０−ａからの短縮録画の転送処理のキャンセルを指示することができる。
【０１４７】
ステップＳ１０５において、主制御部３１は、ユーザにより操作キー１４が操作されることにより、短縮録画作成終了ダイアログ上において「Ｙｅｓ」が選択されることで、短縮録画を転送させるとの指示が受け付けられたか否かを判定する。
【０１４８】
ステップＳ１０５において短縮録画を転送させるとの指示が受け付けられたと判定された場合、主制御部３１はステップＳ１０６で、ホームサーバ１０−ａからの短縮録画の転送を要求するための短縮録画転送要求を生成する。
【０１４９】
ステップＳ１０７において、主制御部３１は、生成された短縮録画転送要求をネットワーク８を介してホームサーバ１０−ａに送信する。
【０１５０】
具体的には、主制御部３１は、無線ＬＡＮモジュール４９を制御し、アクセスポイント９−ａ、無線ＬＡＮ９−ｂ、およびネットワーク８を介して無線ＬＡＮ通信により短縮録画転送要求をホームサーバ１０−ａに送信させる。無線ＬＡＮモジュール４９は、主制御部３１の制御に従い、アクセスポイント９−ａ、無線ＬＡＮ９−ｂ、およびネットワーク８を介して無線ＬＡＮ通信により短縮録画転送要求をホームサーバ１０−ａに送信する。
【０１５１】
ステップＳ１０８において、主制御部３１は、ネットワーク８を介してホームサーバ１０−ａから短縮録画を受信する。
【０１５２】
具体的には、主制御部３１は、無線ＬＡＮモジュール４９を制御し、アクセスポイント９−ａ、無線ＬＡＮ９−ｂ、およびネットワーク８を介して無線ＬＡＮ通信により短縮録画をホームサーバ１０−ａから受信させる。無線ＬＡＮモジュール４９は、主制御部３１の制御に従い、アクセスポイント９−ａ、無線ＬＡＮ９−ｂ、およびネットワーク８を介して無線ＬＡＮ通信により短縮録画をホームサーバ１０−ａから受信する。
【０１５３】
なお、無線ＬＡＮ通信により短縮録画をホームサーバ１０−ａから受信する場合、無線ＬＡＮモジュール４９を起動させるが、その時間は短いため、携帯電話機４に内蔵された電池（バッテリパック）の消耗は少ない。
【０１５４】
ステップＳ１０９において、主制御部３１は、無線ＬＡＮモジュール４９を介して受信されたホームサーバ１０−ａからの短縮録画を記憶部４７に記憶させる。記憶部４７は、主制御部３１の制御に従い、無線ＬＡＮモジュール４９を介して受信されたホームサーバ１０−ａからの短縮録画を記憶する。
【０１５５】
その後、録画処理は終了する。
【０１５６】
一方、ステップＳ１０５において短縮録画を転送させるとの指示が受け付けられてないと判定された場合、ステップＳ１０６乃至Ｓ１０９の処理はスキップされる。その後、録画処理は終了する。
【０１５７】
これにより、ユーザは、ホームサーバ１０−ａにおいて短縮録画の作成が終了したことを知ることができるとともに、作成された短縮録画を直ちに視聴することができる。
【０１５８】
次に、図１１のフローチャートを参照して、図１０のステップＳ１０１またはＳ１０２における携帯電話機４の録画条件設定データ送信処理に対応する、図５のホームサーバ１０−ａにおける他の録画処理について説明する。なお、図１１のステップＳ１１１乃至Ｓ１２２の処理は、図９のステップＳ６１乃至Ｓ７２の処理と基本的には同様であり、その説明は繰り返しになるので省略する。
【０１５９】
ステップＳ１２３において、ＣＰＵ５１は、ホームサーバ１０−ａにおいて短縮録画の作成が終了したことを通知するための短縮録画作成終了通知を生成し、通信部５９を制御し、生成された短縮録画作成終了通知をネットワーク８を介して携帯電話機４に送信させる。通信部５９は、ＣＰＵ５１の制御に従い、生成された短縮録画作成終了通知をアクセスポイント９−ａ、無線ＬＡＮ９−ｂ、およびネットワーク８を介して携帯電話機４に送信する。
【０１６０】
ステップＳ１２４において、ＣＰＵ５１は、通信部５９により、アクセスポイント９−ａ、無線ＬＡＮ９−ｂ、およびネットワーク８を介して携帯電話機４から短縮録画転送要求（ホームサーバ１０−ａにおいて作成された短縮録画の転送を要求するための短縮録画転送要求）を受信したか否かを判定する。
【０１６１】
ステップＳ１２４においてアクセスポイント９−ａ、無線ＬＡＮ９−ｂ、およびネットワーク８を介して携帯電話機４から短縮録画転送要求を受信したと判定された場合、ＣＰＵ５１は、記憶部５８に記憶されている短縮録画を読み出し、通信部５９を制御し、読み出された短縮録画をネットワーク８を介して携帯電話機４に送信（転送）させる。通信部５９は、ＣＰＵ５１の制御に従い、読み出された短縮録画をアクセスポイント９−ａ、無線ＬＡＮ９−ｂ、およびネットワーク８を介して携帯電話機４に送信する。
【０１６２】
ステップＳ１２４においてアクセスポイント９−ａ、無線ＬＡＮ９−ｂ、およびネットワーク８を介して携帯電話機４から短縮録画転送要求を受信していないと判定された場合、ステップＳ１２５の短縮録画送信処理はスキップされる。
【０１６３】
なお、ステップＳ１１９において短縮録画作成要求が受信されていないと判定された場合、ステップＳ１２０乃至Ｓ１２５の処理はスキップされ、その後、ホームサーバ１０−ａにおける録画処理が終了する。
【０１６４】
本発明の実施形態においては、携帯電話機４は、放送局３からの地上波ディジタルワンセグ放送波を携帯電話機４において録画するに際し、ホームサーバ１０−ａに代行録画させるとの指示を受け付けるための代行録画指示受付画面を液晶ディスプレイ１７に表示し、ホームサーバ１０−ａに代行録画させるとの指示が受け付けられた場合、記憶部４７に記憶されている録画条件設定データをホームサーバ１０−ａに送信することができる。また、ホームサーバ１０−ａに短縮録画を作成させるとの指示が受け付けられた場合、短縮録画作成要求を生成し、生成された短縮録画作成要求をホームサーバ１０−ａに送信することができる。さらに、ホームサーバ１０−ａにおいて短縮録画の作成が終了した後、短縮録画を転送するとの指示が受け付けられた場合、ホームサーバ１０−ａから短縮録画の転送を要求するための短縮録画転送要求を生成し、生成された短縮録画転送要求をホームサーバ１０−ａに送信するとともに、短縮録画をホームサーバ１０−ａから受信し、受信された短縮録画を記憶することができる。
【０１６５】
これにより、放送局３からの地上波ディジタルワンセグ放送波を携帯電話機４において録画するに際し、長い放送番組などを受信して録画する場合に、ホームサーバ１０−ａに代行録画させることができる。また、ホームサーバ１０−ａに代行録画させる際に、短縮録画を作成させることができる。従って、携帯電話機４において地上波ディジタルワンセグ放送波を利用する場合に、携帯電話機４に内蔵された電池（バッテリパック）の消耗を抑制することができ、携帯電話機４の操作性を向上させることができる。また、ホームサーバ１０−ａにおいて短縮録画が作成された後、ユーザは、視聴したいときに携帯電話機４において直ちに短縮録画を視聴することができる。その結果、携帯電話機４において放送局３からの地上波ディジタルワンセグ放送波を利用する場合における利便性をより向上させることができる。
【０１６６】
一方、ホームサーバ１０−ａは、携帯電話機４から録画条件設定データを受信し、受信された録画条件設定データに基づいて、家庭用ビデオ機器１０−ｂに録画処理を実行させる際の録画条件を設定し、設定された録画条件に基づいて家庭用ビデオ機器１０−ｂに地上波ディジタル放送波を録画させることができる。また、携帯電話機４から短縮録画作成要求を受信し、受信された短縮録画作成要求に基づいて、家庭用ビデオ機器１０−ｂに録画されている地上波ディジタル放送波による放送番組を読み出し、読み出された家庭用ビデオ機器１０−ｂに録画されている地上波ディジタル放送波による放送番組に基づいて、放送される放送番組を短縮して録画する短縮録画を作成することができる。
【０１６７】
また、短縮録画の作成が終了したことを通知するための短縮録画作成終了通知を携帯電話機４に送信し、短縮録画の転送を要求するための短縮録画転送要求を携帯電話機４から受信すると、短縮録画を送信することができる。
【０１６８】
これにより、放送局３からの地上波ディジタルワンセグ放送波を携帯電話機４において録画するに際し、長い放送番組などを受信して録画する場合に、ホームサーバ１０−ａにおいて代行録画することができる。また、ホームサーバ１０−ａに代行録画する際に、短縮録画を作成することができる。従って、ユーザは、好みで、家庭用ビデオ機器１１に録画されている地上波ディジタル放送波による放送番組を、液晶ディスプレイやスピーカなどの資源の豊かな図示せぬ出力部において視聴することができる。
【０１６９】
また、短縮録画がホームサーバ１０−ａにおいて作成されると、直ちに携帯電話機４に送信（転送）することができる。
【０１７０】
以上のように、資源の少ない携帯電話機４を有効活用しつつ、放送波をより好適に利用することができる。従って、放送局３からの地上波ディジタルワンセグ放送波や地上波ディジタル放送波を利用する場合における利便性をより向上させることができる。
【０１７１】
ところで、ホームサーバ１０−ａにおいて代行録画させる放送番組が長時間に及ぶ番組である場合、予め設定された所定の時間（例えば１０分など）ごとに短縮録画を分割して作成し、作成された短縮録画をその都度携帯電話機４に送信（転送）するようにしてもよい。以下、この方法を用いた図４の携帯電話機４における録画処理について説明する。
【０１７２】
図１２のフローチャートを参照して、図４の携帯電話機４における他の録画処理について説明する。なお、図１２のステップＳ１３１乃至Ｓ１５９の処理は、図１０のステップＳ８１乃至Ｓ１０９の処理と同様であり、その説明は繰り返しになるので省略する。
【０１７３】
ステップＳ１６０において、主制御部３１は、記憶部４７に記憶されている録画終了時刻になったか否かを判定する。ステップＳ１６０において記憶部４７に記憶されている録画終了時刻になっていないと判定された場合、処理はステップＳ１５３に戻り、ステップＳ１５３以降の処理が同様に繰り返される。これにより、録画開始時刻から録画終了時刻まで、予め設定された所定の時間（例えば１０分など）ごとに、作成された短縮録画をその都度受信し、記憶することができる。
【０１７４】
一方、ステップＳ１６０において記憶部４７に記憶されている録画終了時刻になったと判定された場合、その後、携帯電話機４における録画処理は終了する。
【０１７５】
次に、図１３のフローチャートを参照して、図１２のステップＳ１５１またはＳ１５２における携帯電話機４の録画条件設定データ送信処理に対応する、図５のホームサーバ１０−ａにおける他の録画処理について説明する。なお、図１３のステップＳ１７１乃至Ｓ１７７、およびステップＳ１７９乃至Ｓ１８６の処理は、図１１のステップＳ１１１乃至Ｓ１２５の処理と基本的には同様であり、重複する部分については繰り返しになるので適宜省略する。
【０１７６】
ステップＳ１７８において、ＣＰＵ５１は、内蔵された図示せぬタイマを用いて、予め設定された所定の時間が経過したか否かを判定する。ステップＳ１７８において予め設定された所定の時間が経過していないと判定された場合、処理はステップＳ１７７に戻り、予め設定された所定の時間が経過するまで地上波ディジタル放送波の録画が行われる。
【０１７７】
一方、ステップＳ１７８において予め設定された所定の時間が経過したと判定された場合、処理はステップＳ１７９に進み、ステップＳ１７９以降の処理により短縮録画が分割して作成され（すなわち、長時間の放送番組であれば、予め設定された所定の時間（例えば１０分など）が経過するまでに録画された放送番組の一部分により短縮録画が作成され）、携帯電話機４に作成された短縮録画が送信される。
【０１７８】
ステップＳ１８５において録画終了時刻になっていないと判定された場合、処理はステップＳ１７７に戻り、ステップＳ１７７以降の処理が繰り返し実行される。これにより、長時間の放送番組である場合に、予め設定された所定の時間ごとに短縮録画が作成され、作成された短縮録画が携帯電話機４に適宜送信される。従って、ユーザは、ホームサーバ１０−ａに代行録画させながら、予め設定された所定の時間ごとに作成された短縮録画をリアルタイムにより近い形で携帯電話機４において受信し、受信された短縮録画を視聴することができる。
【０１７９】
本発明の実施形態においては、携帯電話機４は、放送局３からの地上波ディジタルワンセグ放送波を携帯電話機４において録画するに際し、ホームサーバ１０−ａに代行録画させるとの指示を受け付けるための代行録画指示受付画面を液晶ディスプレイ１７に表示し、ホームサーバ１０−ａに代行録画させるとの指示が受け付けられた場合、記憶部４７に記憶されている録画条件設定データをホームサーバ１０−ａに送信することができる。また、ホームサーバ１０−ａに短縮録画を作成させるとの指示が受け付けられた場合、短縮録画作成要求を生成し、生成された短縮録画作成要求をホームサーバ１０−ａに送信することができる。さらに、ホームサーバ１０−ａにおいて予め設定された所定の時間（例えば１０分など）ごとに短縮録画の作成が終了した後、短縮録画を転送するとの指示が受け付けられた場合、ホームサーバ１０−ａから短縮録画の転送を要求するための短縮録画転送要求を生成し、生成された短縮録画転送要求をホームサーバ１０−ａに送信するとともに、短縮録画をホームサーバ１０−ａから受信し、受信された短縮録画を記憶することができる。
【０１８０】
これにより、放送局３からの地上波ディジタルワンセグ放送波を携帯電話機４において録画するに際し、長い放送番組などを受信して録画する場合に、ホームサーバ１０−ａに代行録画させることができる。また、ホームサーバ１０−ａに代行録画させる際に、短縮録画を作成させることができる。従って、携帯電話機４において地上波ディジタルワンセグ放送波を利用する場合に、携帯電話機４に内蔵された電池（バッテリパック）の消耗を抑制することができ、携帯電話機４の操作性を向上させることができる。また、ホームサーバ１０−ａにおいて予め設定された所定の時間（例えば１０分など）ごとに短縮録画が作成された後、ユーザは、ホームサーバ１０−ａに代行録画させながら、視聴したいときに携帯電話機４において直ちに短縮録画をリアルタイムにより近い形で視聴することができる。その結果、携帯電話機４において放送局３からの地上波ディジタルワンセグ放送波を利用する場合における利便性をより向上させることができる。
【０１８１】
一方、ホームサーバ１０−ａは、携帯電話機４から録画条件設定データを受信し、受信された録画条件設定データに基づいて、家庭用ビデオ機器１０−ｂに録画処理を実行させる際の録画条件を設定し、設定された録画条件に基づいて家庭用ビデオ機器１０−ｂに地上波ディジタル放送波を録画させることができる。また、携帯電話機４から短縮録画作成要求を受信し、受信された短縮録画作成要求に基づいて、家庭用ビデオ機器１０−ｂに録画されている地上波ディジタル放送波による放送番組を読み出し、読み出された家庭用ビデオ機器１０−ｂに録画されている地上波ディジタル放送波による放送番組に基づいて、予め設定された所定の時間（例えば１０分など）ごとに、放送される放送番組を短縮して録画する短縮録画を作成することができる。
【０１８２】
また、予め設定された所定の時間（例えば１０分など）ごとに、短縮録画の作成が終了したことを通知するための短縮録画作成終了通知を携帯電話機４に送信し、短縮録画の転送を要求するための短縮録画転送要求を携帯電話機４から受信すると、短縮録画を送信することができる。
【０１８３】
これにより、放送局３からの地上波ディジタルワンセグ放送波を携帯電話機４において録画するに際し、長い放送番組などを受信して録画する場合に、ホームサーバ１０−ａにおいて代行録画することができる。また、ホームサーバ１０−ａに代行録画する際に、代行録画しながら、予め設定された所定の時間（例えば１０分など）ごとに短縮録画を作成することができる。従って、ユーザは、好みで、家庭用ビデオ機器１１に録画されている地上波ディジタル放送波による放送番組を、液晶ディスプレイやスピーカなどの資源の豊かな図示せぬ出力部において視聴することができるだけでなく、短縮録画がホームサーバ１０−ａに予め設定された所定の時間（例えば１０分など）ごとに作成されると、直ちに携帯電話機４にリアルタイムにより近い形で送信（転送）することができる。
【０１８４】
以上のように、資源の少ない携帯電話機４を有効活用しつつ、放送波をより好適に利用することができる。従って、放送局３からの地上波ディジタルワンセグ放送波や地上波ディジタル放送波を利用する場合における利便性をより向上させることができる。
【０１８５】
とろこで、地上波ディジタルワンセグ放送波の双方向回線を利用して、放送局３に短縮録画作成要求を送信し、放送局３に短縮録画を作成させた後、放送局３からホームサーバ１０−ａに作成された短縮録画を送信させるようにしてもよい。以下、この方法を用いた携帯電話機４における録画処理について説明する。
【０１８６】
図１４のフローチャートを参照して、図４の携帯電話機４における他の録画処理について説明する。なお、図１４のステップＳ１９１乃至Ｓ２０６、およびステップＳ２０８乃至Ｓ２１４の処理は、図１０のステップＳ８１乃至Ｓ９５、ステップＳ１００、ステップＳ１０３乃至Ｓ１０９の処理と基本的には同様であり、その説明は繰り返しになるので省略する。
【０１８７】
ステップＳ２０７において、主制御部３１は、生成された短縮録画作成要求を地上波ディジタルワンセグ受信部５０を介して放送局３に地上波ディジタルワンセグ放送波の双方向回線により送信する。
【０１８８】
その後、放送局３は、地上波ディジタルワンセグ放送波の双方向回線により、携帯電話機４から送信されてきた短縮録画作成要求を受信し、受信された短縮録画作成要求に基づいて、設定された録画条件に対応する放送番組の短縮録画を作成し、作成された短縮録画をホームサーバ１０−ａに放送用コンテンツサーバ２およびネットワーク８を介して送信する。
【０１８９】
図１５のフローチャートを参照して、ホームサーバ１０−ａにおける録画処理について説明する。この録画処理は、放送局３から短縮録画を受信することにより開始される。
【０１９０】
ステップＳ２２１において、通信部５９は、ネットワーク８を介して放送局３から送信されてきた短縮録画を受信し、受信された短縮録画をバス５４を介してＣＰＵ５１に供給する。
【０１９１】
ステップＳ２２２において、ＣＰＵ５１は、通信部５９から供給された短縮録画をバス５４を介して取得する。
【０１９２】
ステップ２２３において、ＣＰＵ５１は、取得された短縮録画を記憶部５８に記憶させる。記憶部５８は、ＣＰＵ５１の制御に従い、短縮録画を記憶する。
【０１９３】
ステップＳ２２４において、ＣＰＵ５１は、録画処理を終了する。
【０１９４】
ステップＳ２２５において、ＣＰＵ５１は、ホームサーバ１０−ａにおいて録画処理が終了したことを通知するための録画終了通知を生成し、通信部５９を制御し、生成された短縮録画終了通知をネットワーク８を介して携帯電話機４に送信させる。通信部５９は、ＣＰＵ５１の制御に従い、生成された録画終了通知をアクセスポイント９−ａ、無線ＬＡＮ９−ｂ、およびネットワーク８を介して携帯電話機４に送信する。
【０１９５】
ステップＳ２２６において、ＣＰＵ５１は、通信部５９により、アクセスポイント９−ａ、無線ＬＡＮ９−ｂ、およびネットワーク８を介して携帯電話機４から短縮録画転送要求を受信したか否かを判定する。
【０１９６】
ステップＳ２２６においてアクセスポイント９−ａ、無線ＬＡＮ９−ｂ、およびネットワーク８を介して携帯電話機４から短縮録画転送要求を受信したと判定された場合、ＣＰＵ５１は、記憶部５８に記憶されている短縮録画を読み出し、通信部５９を制御し、読み出された短縮録画をネットワーク８を介して携帯電話機４に送信（転送）させる。通信部５９は、ＣＰＵ５１の制御に従い、読み出された短縮録画をアクセスポイント９−ａ、無線ＬＡＮ９−ｂ、およびネットワーク８を介して携帯電話機４に送信する。
【０１９７】
ステップＳ２２７においてアクセスポイント９−ａ、無線ＬＡＮ９−ｂ、およびネットワーク８を介して携帯電話機４から短縮録画転送要求を受信していないと判定された場合、ステップＳ２２６の短縮録画送信処理はスキップされる。
【０１９８】
その後、ホームサーバ１０−ａの録画処理は終了する。
【０１９９】
これにより、地上波ディジタルワンセグ放送波の双方向回線により、資源の少ない携帯電話機４を有効活用しつつ、放送波をより好適に利用することができる。従って、放送局３からの地上波ディジタルワンセグ放送波や地上波ディジタル放送波を利用する場合における利便性をより向上させることができる。
【０２００】
なお、本発明の実施形態においては、ホームサーバ１０−ａにより家庭用ビデオ機器１０−ｂに地上波ディジタル放送波を録画させるようにしたが、ホームサーバ１０−ａ自体に録画させるようにしてもよい。また、本発明の実施形態においては、ユーザの家庭内に設置されたホームサーバ１０−ａに代行録画させるようにしたが、このような場合に限られず、会社などの他の場所に設置された種々のサーバ（図示せず）などを用いて代行録画させるようにしてもよい。
【０２０１】
また、本発明の実施形態においては、ユーザにより操作キー１４が操作されることにより、ホームサーバ１０−ａに代行録画させるとの指示が受け付けられ、さらに短縮録画を作成させるとの指示が受け付けられた後、ホームサーバ１０−ａに録画条件設定データおよび短縮録画作成要求を送信するようにしたが、このような場合に限られず、ホームサーバ１０−ａにおいて短縮録画の作成をデフォルトにして、ホームサーバ１０−ａに代行録画させるとの指示が受け付けられたとき、ホームサーバ１０−ａに録画条件設定データおよび短縮録画作成要求を送信するようにしてもよい。勿論、ユーザの好みにより、これらの設定を変更することができるようにしてもよい。
【０２０２】
さらに、本発明の実施形態においては、ホームサーバ１０−ａとの通信に無線ＬＡＮ通信を用いるようにしたが、このような場合に限られず、基地局５を介してホームサーバ１０−ａと通信を行うようにしてもよい。
【０２０３】
また、放送波による放送番組の著作権を考慮して、例えば携帯電話機４に短縮録画する回数を１回などに制限するようにしてもよい。
【０２０４】
さらに、短縮録画の作成を適宜、中止することができるようにしてもよい。
【０２０５】
また、ホームサーバ１０−ａに、予め設定された複数のユーザ（例えば家族など）が同時に短縮録画の作成を要求することができるようにしてもよい。
【０２０６】
なお、本発明の実施形態においては、本発明を、地上波ディジタルワンセグ放送波を録画する際に適用するようにしたが、このような場合に限られず、例えば地上波ディジタル放送波を録画する際や地上波ディジタル３セグメントラジオ放送波を録音する際など、他の方式記録の際に適用することができる。
【０２０７】
なお、本発明は、携帯電話機４以外にも、ＰＤＡ（Personal Digital Assistant）、パーソナルコンピュータ、携帯型ゲーム機、携帯型音楽再生機、携帯型動画再生機、その他の情報処理装置にも適用することができる。
【０２０８】
また、本発明の実施形態において説明した一連の処理は、ソフトウェアにより実行させることもできるが、ハードウェアにより実行させることもできる。
【０２０９】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【０２１０】
【図１】本発明に係るネットワークシステムの全体の構成を示すネットワーク図。
【図２】本発明に係る情報処理装置に適用可能な携帯電話機の外観の構成を示す外観図。
【図３】本発明に係る情報処理装置に適用可能な携帯電話機の他の外観の構成を示す外観図。
【図４】本発明に係る情報処理装置に適用可能な携帯電話機の内部の構成を示すブロック図。
【図５】本発明に係る情報管理装置に適用可能なホームサーバの内部の構成を示すブロック図。
【図６】図４の携帯電話機における録画処理を説明するフローチャート。
【図７】図４の液晶ディスプレイに表示される表示例を示す図。
【図８】図４の携帯電話機における他の録画処理を説明するフローチャート。
【図９】図５のホームサーバにおける録画処理を説明するフローチャート。
【図１０】図４の携帯電話機における他の録画処理を説明するフローチャート。
【図１１】図５のホームサーバにおける他の録画処理を説明するフローチャート。
【図１２】図４の携帯電話機における他の録画処理を説明するフローチャート。
【図１３】図５のホームサーバにおける他の録画処理を説明するフローチャート。
【図１４】図４の携帯電話機における他の録画処理を説明するフローチャート。
【図１５】図５のホームサーバにおける他の録画処理を説明するフローチャート。
【符号の説明】
【０２１１】
１…ネットワークシステム、２…放送用コンテンツサーバ、３…放送局、４…携帯電話機、５…基地局、６…公衆回線網、７…アクセスサーバ、８…ネットワーク、９−ａ…アクセスポイント、９−ｂ…無線ＬＡＮ、１０−ａ…ホームサーバ、１０−ｂ…家庭用ビデオ機器、１０−ｃ…ＴＶ受信機、１１…ヒンジ、１２…第１の筐体、１３…第２の筐体、１４…操作キー、１５…マイクロフォン、１６…サイドキー、１７…液晶ディスプレイ、１８…スピーカ、１９a乃至１９d…磁気センサ、２０（２０−１および２０−２）…ＬＥＤ、２１…ＣＣＤカメラ、２２…サブディスプレイ、２３…静電タッチパッド、３１…主制御部、３２…電源回路部、３３…操作入力制御部、３４…画像エンコーダ、３５…カメラI/F部、３６…ＬＣＤ制御部、３７…画像デコーダ、３８…多重分離部、３９…変復調回路部、４０…音声コーデック、４１…メインバス、４２…同期バス、４３…送受信回路部、４４…アンテナ、４５…記録再生部、４６…メモリカード、４７…記憶部、４８…音楽制御部、４９…無線ＬＡＮモジュール、５０…地上波ディジタルワンセグ受信部、５１…ＣＰＵ、５２…ＲＯＭ，５３…ＲＡＭ、５４…バス、５５…入出力インタフェース、５６…入力部、５７…出力部、５８…記憶部、５９…通信部、６０…ドライブ、６１…磁気ディスク、６２…光ディスク、６３…光磁気ディスク、６４…半導体メモリ。
【図１】
2008124727.tif 000003
【図２】
2008124727.tif 000004
【図３】
2008124727.tif 000005
【図４】
2008124727.tif 000006
【図５】
2008124727.tif 000007
【図６】
2008124727.tif 000008
【図７】
2008124727.tif 000009
【図８】
2008124727.tif 000010
【図９】
2008124727.tif 000011
【図１０】
2008124727.tif 000012
【図１１】
2008124727.tif 000013
【図１２】
2008124727.tif 000014
【図１３】
2008124727.tif 000015
【図１４】
2008124727.tif 000016
【図１５】
2008124727.tif 000017